(57)【要約】【課題】掃除機本体のハンドルに強い衝撃が加わった際の、ハンドルと掃除機本体との固定部分における耐久性を向上できる電気掃除機を提供する。【解決手段】この発明に係る電気掃除機は、吸引風を生成するための電動送風機１７と、電動送風機１７を内部に収容する本体ケース１１と、本体ケース１１とは別部材で設けられ本体ケース１１に取り付けられた本体ハンドル３０と、を備える。本体ハンドル３０は、握り部分３１と一体に構成されたハンドルフレーム３２を備える。握り部分３１は、本体ケース１１の前方側に配置される。ハンドルフレーム３２は、本体ケース１１の上面部又は後面部と両側面部とにわたって配置される。【選択図】図２
2020114281.tif 000002
【特許請求の範囲】
【請求項１】
吸引風を生成するための電動送風機と、
前記電動送風機を内部に収容する本体ケースと、
前記本体ケースとは別部材で設けられ、前記本体ケースに取り付けられたハンドルと、を備え、
前記ハンドルは、握り部分と一体に構成されたハンドルフレームを備え、
前記握り部分は、前記本体ケースの前方側に配置され、
前記ハンドルフレームは、前記本体ケースの上面部又は後面部と両側面部とにわたって配置された電気掃除機。
【請求項２】
前記ハンドルフレームは、前記本体ケースの外面に露出した請求項１に記載の電気掃除機。
【請求項３】
前記ハンドルは、前記握り部分に設けられたハンドルカバーをさらに備えた請求項１又は請求項２に記載の電気掃除機。
【請求項４】
前記ハンドルカバーは、表面に滑り止め加工が施された請求項３に記載の電気掃除機。
【請求項５】
前記ハンドルカバーは、抗菌性を有する素材を含む請求項３又は請求項４に記載の電気掃除機。
【発明の詳細な説明】
【技術分野】
【０００１】
この発明は、電気掃除機に関するものである。
【背景技術】
【０００２】
電気掃除機においては、掃除機本体にハンドルを備えたものが知られている。例えば、特許文献１には、フロントカバーとハンドルを一体成形品とし、フロントカバーを掃除機本体の前面部に形成された取り付け位置に嵌め込み、ネジにより固定したものが記載されている。
【先行技術文献】
【特許文献】
【０００３】
【特許文献１】特開２０１５−１４２６２３号公報
【発明の概要】
【発明が解決しようとする課題】
【０００４】
しかしながら、特許文献１に示されるような電気掃除機においては、ハンドルと一体成形されたフロントカバーを、ネジにより掃除機本体の前面部に固定している。このため、掃除機本体の落下時等において、ハンドルに強い衝撃が加わった際にフロントカバーと掃除機本体とのネジ止め部分に応力が集中し、破損等に至る可能性がある。
【０００５】
この発明は、このような課題を解決するためになされたものである。その目的は、掃除機本体のハンドルに強い衝撃が加わった際の、ハンドルと掃除機本体との固定部分における耐久性を向上できる電気掃除機を提供することにある。
【課題を解決するための手段】
【０００６】
この発明に係る電気掃除機は、吸引風を生成するための電動送風機と、前記電動送風機を内部に収容する本体ケースと、前記本体ケースとは別部材で設けられ、前記本体ケースに取り付けられたハンドルと、を備え、前記ハンドルは、握り部分と一体に構成されたハンドルフレームを備え、前記握り部分は、前記本体ケースの前方側に配置され、前記ハンドルフレームは、前記本体ケースの上面部又は後面部と両側面部とにわたって配置される。
【発明の効果】
【０００７】
この発明に係る電気掃除機によれば、掃除機本体のハンドルに強い衝撃が加わった際の、ハンドルと掃除機本体との固定部分における耐久性を向上できるという効果を奏する。
【図面の簡単な説明】
【０００８】
【図１】この発明の実施の形態１に係る電気掃除機の全体構成を示す斜視図である。
【図２】この発明の実施の形態１に係る電気掃除機の掃除機本体の側面図である。
【図３】この発明の実施の形態１に係る掃除機本体の上面図である。
【図４】図３の断面Ａ−Ａによる掃除機本体の断面図である。
【図５】図３の断面Ｂ−Ｂによる掃除機本体の断面図である。
【図６】この発明の実施の形態１に係る掃除機本体の本体ハンドルの上面図である。
【図７】この発明の実施の形態１に係る本体ハンドルの側面図である。
【図８】この発明の実施の形態１に係る掃除機本体の後面を接地させて立てた状態を示す側面図である。
【図９】この発明の実施の形態１に係る掃除機本体を本体ハンドルで持ち上げた状態を示す側面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図９は、この発明の実施の形態１に係るものである。図１は電気掃除機の全体構成を示す斜視図である。図２は電気掃除機の掃除機本体の側面図である。図３は掃除機本体の上面図である。図４は図３の断面Ａ−Ａによる掃除機本体の断面図である。図５は図３の断面Ｂ−Ｂによる掃除機本体の断面図である。図６は掃除機本体の本体ハンドルの上面図である。図７は本体ハンドルの側面図である。図８は掃除機本体の後面を接地させて立てた状態を示す側面図である。そして、図９は掃除機本体を本体ハンドルで持ち上げた状態を示す側面図である。
【００１１】
以下の説明では、塵埃及びその他のゴミを総称して単に「塵埃」と呼ぶ場合がある。また、塵埃が混じった空気を「含塵空気」と呼ぶ場合がある。そして、塵埃が取り除かれた空気を「清浄空気」と呼ぶ場合がある。
【００１２】
この実施の形態に係る電気掃除機１は、キャニスター型の電気掃除機である。図１に示すように、電気掃除機１は、主な構成要素として、掃除機本体６、吸込具２、延長パイプ３、接続パイプ４及び吸引ホース５を備えている。
【００１３】
吸込具２は、被清掃面上のごみ（塵埃）を空気と一緒に吸い込むためのものである。被清掃面は、例えば床面等である。吸込具２の底面には、図示しない吸込口が形成されている。延長パイプ３は、中空円筒状を呈する直状の部材からなる。延長パイプ３の一側（吸気側）の端部は、吸込具２に接続される。
【００１４】
接続パイプ４は、途中で折れ曲がった中空円筒状の部材からなる。接続パイプ４の一側（吸気側）の端部は、延長パイプ３の他端部に接続される。接続パイプ４には、操作ハンドル７が設けられている。操作ハンドル７は、電気掃除機１の使用者が持って操作するためのものである。操作ハンドル７には、電気掃除機１の運転を制御するための操作スイッチ８が設けられている。
【００１５】
掃除機本体６は、塵埃を含む空気（含塵空気）から塵埃を分離し、塵埃が取り除かれた空気（清浄空気）を排出する（例えば、室内に戻す）ためのものである。次に、図２から図５も参照しながら、掃除機本体６の構成について説明する。なお、以下の説明においては、掃除機本体６の前後方向及び上下方向を、図２中の矢印で示すように定める。掃除機本体６の左右方向は、前後方向及び上下方向の両方に直交する方向として定まる。
【００１６】
吸引ホース５は、可撓性を備えた蛇腹状を呈する中空な部材からなる。吸引ホース５の一側（吸気側）の端部は、接続パイプ４の他端部に接続される。掃除機本体６の前側端部には、ホース接続部１２が形成されている。吸引ホース５の他側（排気側）のホース端部５ａは、掃除機本体６のホース接続部１２に接続される。
【００１７】
掃除機本体６は本体ケース１１を備えている。本体ケース１１は掃除機本体６の外殻を形成する部材である。掃除機本体６は電動送風機１７を備えている。電動送風機１７は電気掃除機１の吸引風を生成するためのものである。図４に示すように、本体ケース１１の内部には送風機ケース１８が収容されている。そして、送風機ケース１８の内部に電動送風機１７が収容されている。このようにして、本体ケース１１の内部に電動送風機１７が収容されている。本体ケース１１の内部には、制御基板２０が収容されている。制御基板２０には、電気掃除機１の動作を含む電気掃除機１の運転動作全般を制御するための回路が実装されている。
【００１８】
図５に示すように、掃除機本体６は、電源コード１６及びコードリール１９を備えている。コードリール１９は、掃除機本体６の本体ケース１１の内部に収容されている。電源コード１６は、コードリール１９に巻き付けられている。電源コード１６が外部電源に接続されることにより、電動送風機１７及び制御基板２０等の内部機器が通電する。電動送風機１７は、通電によって駆動し、操作スイッチ８に対する操作に応じて予め設定された吸引動作を行う。
【００１９】
吸込具２、延長パイプ３、接続パイプ４、吸引ホース５は、内部が一続きに形成されている。電動送風機１７が吸引動作を行うと、床面上の塵埃が空気と一緒に吸込具２に吸い込まれる。吸込具２に吸い込まれた含塵空気は、吸込具２、延長パイプ３、接続パイプ４、吸引ホース５の各内部を通って、掃除機本体６に送られる。このように、吸込具２、延長パイプ３、接続パイプ４、吸引ホース５は、外部から掃除機本体６の内部に含塵空気を流入させるための風路を形成する。
【００２０】
掃除機本体６は、集塵部１０を備えている。集塵部１０は、電動送風機１７が生成した吸引風により掃除機本体６に吸い込んだ含塵空気中の塵埃を捕集するためのものである。集塵部１０は、例えば紙パック式の集塵室を備えている。また、集塵部１０は、サイクロン分離装置を備えていてもよい。サイクロン分離装置は、電動送風機１７が生成した空気流により含塵空気を内部で旋回させ、遠心力に利用して含塵空気から塵埃を分離する装置である。集塵部１０で分離された塵埃は、集塵室（紙パック式の場合には集塵袋）に捕集されて蓄積される。集塵部１０は、本体ケース１１の内部における電動送風機１７よりも前側に配置されている。
【００２１】
掃除機本体６は、車輪１４及びキャスター１５を備えている。車輪１４は、本体ケース１１における後側の部分の左右両側に回転可能に設けられている。キャスター１５は、本体ケース１１における前側の部分の下面に設けられている。キャスター１５は、集塵部１０の下方に配置されている。
【００２２】
本体ケース１１の後面には、排気口２２が形成されている。図４に示すように、本体ケース１１の内部には、風路２１が形成されている。風路２１は、ホース接続部１２から、集塵部１０及び電動送風機１７の中を通って排気口２２にまで通じている。
【００２３】
電動送風機１７は、電源コード１６が電源に接続されると、操作スイッチ８に対する操作に応じて予め設定された吸引動作を行う。電動送風機１７が吸引動作を開始すると、電気掃除機１に形成された各風路、すなわち、掃除機本体６の内部に含塵空気を流入させるための風路及び風路２１に気流が発生する。気流が発生すると、吸込具２の吸込口から被清掃面上の塵埃が空気と一緒に吸い込まれる。
【００２４】
吸込具２に吸い込まれた含塵空気は、延長パイプ３、接続パイプ４及び吸引ホース５を通り、ホース接続部１２から掃除機本体６の内部に取り込まれる。掃除機本体６の内部に流入した含塵空気は、風路２１を通って集塵部１０に送られる。集塵部１０では、含塵空気から塵埃が分離される。そして、塵埃が取り除かれて清浄化された空気が、集塵部１０から排出される。集塵部１０から排出された空気（清浄空気）は、風路２１をさらに進み電動送風機１７を通過する。電動送風機１７を通過した空気は、排気口２２から掃除機本体６の外部に排出される。
【００２５】
掃除機本体６は、本体ハンドル３０を備えている。本体ハンドル３０は、電気掃除機１の使用者が掃除機本体６を持ち上げて運搬等する際に用いる部位である。使用者が本体ハンドル３０を握り上方に上げることで、掃除機本体６を持ち上げることができる。本体ハンドル３０は、本体ケース１１に取り付けられている。本体ハンドル３０は、本体ケース１１とは別部材である。
【００２６】
次に、図６及び図７を参照しながら、本体ハンドル３０を構成する部材について説明する。本体ハンドル３０は、握り部分３１とハンドルフレーム３２とを備えている。ハンドルフレーム３２は、握り部分３１と一体に構成されている。本体ハンドル３０を構成する部材は、握り部分３１とハンドルフレーム３２とが一体になって、連続した環状を呈する。すなわち、本体ハンドル３０の環状の一部分が握り部分３１になっている。そして、本体ハンドル３０の環状の握り部分３１以外の部分が、ハンドルフレーム３２である。本体ハンドル３０を構成する部材は、この環状の内側に空間３４が形成されている。
【００２７】
本体ハンドル３０が本体ケース１１に取り付けられた状態では、図２及び図３に示すように、握り部分３１が本体ケース１１の前方側に配置される。本体ハンドル３０は、空間３４内の一部に本体ケース１１の一部が挿入されるようにして、本体ケース１１に取り付けられる。そして、空間３４の残りの部分により、握り部分３１と本体ケース１１の前端部との間に空間が形成される。この握り部分３１と本体ケース１１との間の空間内に、握り部分３１を握った際の使用者の手が挿入される。
【００２８】
本体ハンドル３０が本体ケース１１に取り付けられた状態では、前述したように、環状の本体ハンドル３０の空間３４内に本体ケース１１が配置されている。換言すれば、図２及び図３に示すように、ハンドルフレーム３２が本体ケース１１の左右の両側面部から上面部にまわって配置される。
【００２９】
なお、ここで示す構成例では、ハンドルフレーム３２が本体ケース１１の上面部をまわって配置されているが、ハンドルフレーム３２が本体ケース１１の両側面部から後面部をまわって配置されるようにしてもよい。すなわち、ハンドルフレーム３２は、本体ケース１１の上面部又は後面部と両側面部とにわたって配置される。
【００３０】
握り部分３１と一体のハンドルフレーム３２を、本体ケース１１の両側面部から上面部又は後面部にまわるように配置することで、ハンドルフレーム３２の全体で本体ケース１１と本体ハンドル３０とを固定できる。すなわち、本体ハンドル３０と本体ケース１１との固定部分を大きくできるため、ネジ止め箇所等を容易に増やすことが可能である。また、本体ケース１１の左右の両側面部と上面部又は後面部という複数の位置、方向から本体ハンドル３０を本体ケース１１にネジ止め等することができ、様々な方向からの衝撃に強くすることが可能である。このため、本体ハンドル３０と掃除機本体６との固定部分における衝撃耐性を向上できる。
【００３１】
また、握り部分３１を下にして掃除機本体６が落下した等の握り部分３１に局所的な強い衝撃が加わった場合であっても、握り部分３１と一体のハンドルフレーム３２の全体に衝撃を逃がすことができる。このため、本体ハンドル３０自体の破損を抑制し、ひいては衝撃により本体ハンドル３０が本体ケース１１から脱落等することを抑制できる。このようにして、握り部分３１と一体のハンドルフレーム３２を、本体ケース１１の両側面部から上面部又は後面部にまわるように配置することで、掃除機本体６の本体ハンドル３０に強い衝撃が加わった際の、本体ハンドル３０と掃除機本体６との固定部分における耐久性を向上できる。
【００３２】
この実施の形態では、ハンドルフレーム３２は、本体ケース１１の外面に露出している。ハンドルフレーム３２における本体ケース１１の外面に露出した部分は、意匠部品２３になっている。このようにすることで、ハンドルフレーム３２により、本体ハンドル３０の握り部分３１から意匠部品２３にまで連なるデザインとすることができ、デザイン性を損なうことなく握り部分３１を本体ケース１１の前側に配置できる。また、本体ケース１１に本体ハンドル３０を取り付ける際の組立性も良好である。ただし、ハンドルフレーム３２が本体ケース１１の外面に露出しないようにすることは妨げられない。
【００３３】
以上のように構成された掃除機本体６を、その後面を接地させて立てた状態を示すのが図８である。電気掃除機１を使用しない時等に同図に示すように掃除機本体６の前側が上になるように掃除機本体６を立てて収納することで、必要な収納スペースを少なくできる。この際、本体ハンドル３０の握り部分３１が掃除機本体６の前側にあるので、掃除機本体６の前側が上になるように掃除機本体６を立てると、本体ハンドル３０の握り部分３１が上に配置される。このため、掃除機本体６を立てて収納した状態から、本体ハンドル３０を握って持ち上げやすくできる。
【００３４】
また、本体ハンドル３０の握り部分３１を握って掃除機本体６を持ち上げた状態が、図９である。同図に示すように、握り部分３１を握って掃除機本体６を持ち上げると、握り部分３１の鉛直方向の真下に掃除機本体６の重心Ｇが位置するように、掃除機本体６が傾いた姿勢で安定する。この際、本体ハンドル３０の握り部分３１が掃除機本体６の前側にあるので、図８に示す掃除機本体６を立てた状態からの傾きを少なくできる。したがって、掃除機本体６を立てた状態から握り部分３１を握って掃除機本体６を持ち上げた場合の掃除機本体６の揺動を少なくでき、容易に持ち上げることが可能である。
【００３５】
なお、ここで説明する構成例では、図４、図６及び図７に示すように、本体ハンドル３０の握り部分３１に、ハンドルカバー３３が設けられている。ハンドルカバー３３は、少なくとも握り部分３１の掃除機本体６に近い側を覆うようにして設けられている。このようにすることで、図９に示すように握り部分３１を握って掃除機本体６を持ち上げた際に、握り部分３１を握った手に荷重がかかる握り部分３１の下側の部分にハンドルカバー３３があることになる。このため、手に本体ハンドル３０が食い込むこと等をハンドルカバー３３により抑制し、掃除機本体６を持ちやすくできる。
【００３６】
ハンドルカバー３３の表面に滑り止め加工を施してもよい。滑り止め加工としては、具体的に例えば、ハンドルカバー３３の表面を本体ハンドル３０の他の部位よりも粗くなるように加工する。このようにすることで、握り部分３１を握る手が滑ってしまうことを抑制し本体ハンドル３０を握りやすくできる。
【００３７】
また、ハンドルカバー３３は抗菌性を有する素材を含んでいてもよい。このようにすることで、ハンドルカバー３３表面での雑菌等の繁殖を抑制し、清潔な状態を保つことができる。さらに、ハンドルカバー３３は、ゲル等の軟質材で形成されてもよい。ハンドルカバー３３が軟質材で形成されることで、握り部分３１を握る手との間での摩擦力を増大させるとともに、使用者の手の形に合わせてハンドルカバー３３が変形して握りやすくできる。
【符号の説明】
【００３８】
１    電気掃除機
２    吸込具
３    延長パイプ
４    接続パイプ
５    吸引ホース
５ａ  ホース端部
６    掃除機本体
７    操作ハンドル
８    操作スイッチ
１０    集塵部
１１    本体ケース
１２    ホース接続部
１４    車輪
１５    キャスター
１６    電源コード
１７    電動送風機
１８    送風機ケース
１９    コードリール
２０    制御基板
２１    風路
２２    排気口
２３    意匠部品
３０    本体ハンドル
３１    握り部分
３２    ハンドルフレーム
３３    ハンドルカバー
３４    空間
Ｇ    重心
【図１】
2020114281.tif 000003
【図２】
2020114281.tif 000004
【図３】
2020114281.tif 000005
【図４】
2020114281.tif 000006
【図５】
2020114281.tif 000007
【図６】
2020114281.tif 000008
【図７】
2020114281.tif 000009
【図８】
2020114281.tif 000010
【図９】
2020114281.tif 000011